(57)【特許請求の範囲】
【請求項１】
弁アセンブリの軸（７、８）に磁石（２）を取り付けるためのキャリアアセンブリ（１）であって、
磁石ホルダ部（４１）、軸ホルダ部（４２）、および前記軸ホルダ部（４２）から延びる複数のフィンガ（５）を有するハウジング（４）と、
ロッキングカラー（３）とを含み、
前記ロッキングカラー（３）が前記ハウジング（４）上に装着され、開位置から閉位置へ動いて、前記キャリアアセンブリ（１）を前記軸（７、８）に係合させ、前記ロッキングカラー（３）がロック位置へさらに動いて、前記キャリアアセンブリ（１）を前記軸（７、８）にロックするとともに、
前記複数のフィンガ（５）の各々が、固定端（７１）と自由端（７２）とを含み、前記フィンガの各々が、前記自由端（７２）から内方へ延びるラッチ（７３）をさらに含み、かつ、
前記軸（７、８）が、前記複数のフィンガ（５）の各々の前記ラッチ（７３）に係合して、前記キャリアアセンブリ（１）を前記軸（７、８）に対して保持する保持機構（７７）を含むとともに、
前記ロッキングカラー（３）が、前端（３１）、後端（３２）、内面（３３）、外面（３４）、および前記前端（３１）から前記後端（３２）へ中心軸（３０）に沿って長手方向に延びるチャネルを有する円筒であり、前記前端（３１）に隣接して周方向に延びる１つまたは複数のアーム（３７）をさらに含む、
キャリアアセンブリ（１）。
【請求項２】
前記ロッキングカラー（３）が、回転運動を使用して前記閉位置から前記ロック位置へ動く、請求項１に記載のキャリアアセンブリ（１）。
【請求項３】
前記軸ホルダ部（４２）が、前端（２１）、後端（２２）、内面（２３）、および外面（２４）を有し、前記外面（２４）に１つまたは複数の凹部領域（２６）をさらに含む、請求項１に記載のキャリアアセンブリ（１）。
【請求項４】
前記軸ホルダ部（４２）が、前記外面（２４）に沿って前記凹部領域（２６）から遠位端へ周方向に延びる１つまたは複数の溝（２８）をさらに含み、前記１つまたは複数の溝（２８）の各々が、前記遠位端にラッチ開口部（２９）を有する、請求項３に記載のキャリアアセンブリ（１）。
【請求項５】
前記外面（３４）から長手方向に延びる突起（６）をさらに含む、請求項１に記載のキャリアアセンブリ（１）。
【請求項６】
前記アーム（３７）が固定端（３８）と自由端（３９）とを含み、ラッチ（５１）が前記自由端（３９）から内方へ延びる、請求項１に記載のキャリアアセンブリ（１）。
【請求項７】
前記内面（３３）から内方へ延びる複数の突起（５５）をさらに含む、請求項１に記載のキャリアアセンブリ（１）。
【請求項８】
弁アセンブリの軸（７、８）に磁石（２）を取り付けるためのキャリアアセンブリ（１）であって、
磁石ホルダ部（４１）、軸ホルダ部（４２）、および前記軸ホルダ部（４２）から延びる複数のフィンガ（５）を有するハウジング（４）と、
ロッキングカラー（３）とを含み、
前記ロッキングカラー（３）が前記ハウジング（４）上に装着され、開位置から閉位置へ動いて、前記キャリアアセンブリ（１）を前記軸（７、８）に係合させ、前記ロッキングカラー（３）がロック位置へさらに動いて、前記キャリアアセンブリ（１）を前記軸（７、８）にロックするとともに、
前記複数のフィンガ（５）の各々が、固定端（７１）と自由端（７２）とを含み、前記フィンガの各々が、前記自由端（７２）から内方へ延びるラッチ（７３）をさらに含み、かつ、
前記軸（７、８）が、前記複数のフィンガ（５）の各々の前記ラッチ（７３）に係合して、前記キャリアアセンブリ（１）を前記軸（７、８）に対して保持する保持機構（７７）を含むとともに、
前記ロック位置で、前記ハウジング（４）の窓（２５）が前記ロッキングカラー（３）の窓（３５）に位置合わせされて、前記軸が完全に装填されたことの目視確認を与える、キャリアアセンブリ（１）。
【請求項９】
弁アセンブリの軸（７、８）に磁石（２）を取り付けるためのキャリアアセンブリ（１）であって、
磁石ホルダ部（４１）、軸ホルダ部（４２）、および前記軸ホルダ部（４２）から延びる複数のフィンガ（５）を有するハウジング（４）と、
ロッキングカラー（３）とを含み、
前記ロッキングカラー（３）が前記ハウジング（４）上に装着され、開位置から閉位置へ動いて、前記キャリアアセンブリ（１）を前記軸（７、８）に係合させ、前記ロッキングカラー（３）がロック位置へさらに動いて、前記キャリアアセンブリ（１）を前記軸（７、８）にロックするとともに、
前記軸ホルダ部（４２）が、外面（２４）、前記外面（２４）の１つまたは複数の凹部領域（２６）、および前記外面（２４）に沿って前記凹部領域（２６）から遠位端へ周方向に延びる１つまたは複数の溝（２８）を有する円筒を含み、前記１つまたは複数の溝（２８）の各々が、前記遠位端にラッチ開口部（２９）を有し、
前記ロッキングカラー（３）が、前端（３１）、後端（３２）、および前記前端（３１）に隣接して周方向に延びる１つまたは複数のアーム（３７）を含み、前記１つまたは複数のアーム（３７）の各々が、固定端（３８）、自由端（３９）、および前記自由端（３９）から内方へ延びるラッチ（５１）を有し、
前記軸ホルダ部（４２）から長手方向に延びる前記複数のフィンガ（５）の各々が、前記軸ホルダ部（４２）に隣接する固定端（７１）と自由端（７２）とを含み、前記フィンガの各々が、前記自由端（７２）から内方へ延びるラッチ（７３）をさらに含み、
前記ロッキングカラーのラッチ（５１）が、前記軸ホルダ部（４２）の前記ラッチ開口部（２９）に係合して、前記ロッキングカラー（３）を前記ハウジング（４）上にロックし、
前記複数のフィンガ（５）の各々の前記ラッチ（７３）が、前記軸（７、８）に係合して、前記キャリアアセンブリ（１）を前記軸（７、８）に対して保持する、キャリアアセンブリ（１）。
【請求項１０】
前記ロッキングカラーが、内面（３４）と、前記内面（３４）から内方へ延びる複数の突起（５５）とをさらに含み、前記ロッキングカラーがロック位置に回転し、前記突起（５５）が前記軸ホルダ部（４２）の前記フィンガ（５）に位置合わせされて、前記フィンガ（５）を前記軸（７、８）にロックする、請求項９に記載のキャリアアセンブリ（１）。
【請求項１１】
請求項１に記載の磁石キャリアアセンブリ（１）を軸に組み付ける方法であって、
前記方法は、
前記ロッキングカラー（３）を前記フィンガ（５）および前記軸ホルダ部（４２）上に後端（２２）から取り付けて、前記ロッキングカラー（３）の前記中心軸（３０）が前記ハウジング（４）の中心軸（２０）に位置合わせされるようにするステップと、
前記ロッキングカラー（３）を前記軸ホルダ部（４２）の前記後端（２２）から前端（２１）へ向かって開位置まで長手方向に後退させて、前記フィンガ（５）が外方へ撓むことができるようにするステップと、
前記軸（７、８）を前記フィンガ（５）間の開口部（７０）に挿入するステップと、
前記ロッキングカラー（３）を前記前端（２１）から前記後端（２２）へ閉位置まで長手方向に戻して、前記フィンガ（５）を前記軸（７、８）の前記保持機構（７７）に係合させるステップと、
前記ロッキングカラー（３）をロック位置に回転させて、前記ロッキングカラー（３）が前記ハウジング（４）にロックされ、前記フィンガ（５）が前記軸（７）にロックされ、かつ前記軸（７）が前記キャリアアセンブリ（１）内にロックされるようにするステップと、を含む、方法。
【発明の詳細な説明】
【技術分野】
【０００１】
本明細書の主題は、一般に、磁石と弁本体とを連結するためのコネクタアセンブリに関する。
【背景技術】
【０００２】
一部の現在の自動車用途においては、磁石を使用して弁または他の部品の位置を検出する。１つのそのようなシステムであるトランスミッションシステムでは、磁石を弁に連結して弁の位置を検出する。一部の現在のシステムは、弁に直接オーバモールドされた磁石を有する。他の現在のシステムは、弁に機械的に固定された磁石を有することができる。例えば、そのようなシステムでは、磁石を磁石キャリアに入れた後に、磁石キャリアを弁に機械的に連結することができる。
【発明の概要】
【発明が解決しようとする課題】
【０００３】
磁石キャリアを使用する現在の機械的インタフェースは、弁に対する磁石の取付部を組立ておよび分解するための専用の工具を必要とすることがある。加えて、現在のシステムは、弁軸にねじ付開口部を必要とするボルトなどの機械的インタフェースを使用することがある。ねじ付開口部を作るために、追加の、または専用の機械加工が必要となることがある。軸の大きさが小さくなると、必要な接続強度および部品に必要な機械加工を達成する能力により、現在のシステムがより複雑で費用の掛かるものになる。
【課題を解決するための手段】
【０００４】
本明細書に記載の弁アセンブリの軸（７、８）に磁石（２）を取り付けるためのキャリアアセンブリ（１）によって、解決法がもたらされる。
キャリアアセンブリ（１）は、磁石ホルダ部（４１）、軸ホルダ部（４２）、および軸ホルダ部（４２）から延びる複数のフィンガ（５）を有するハウジング（４）と、を含む。キャリアアセンブリ（１）はロッキングカラー（３）を含み、ロッキングカラー（３）はハウジング（４）上に装着され、開位置から閉位置へ動いて、キャリアアセンブリ（１）を軸に係合させる。ロッキングカラーはロック位置へさらに動いて、キャリアアセンブリ（１）を軸（７、８）にロックする。複数のフィンガ（５）の各々は、固定端（７１）と自由端（７２）とを含む。フィンガの各々が、自由端（７２）から内方へ延びるラッチ（７３）をさらに含み、かつ、軸（７、８）が、複数のフィンガ（５）の各々のラッチ（７３）に係合して、キャリアアセンブリ（１）を軸（７、８）に対して保持する保持機構（７７）を含む。そして、ロッキングカラー（３）は、前端（３１）、後端（３２）、内面（３３）、外面（３４）、および前端（３１）から後端（３２）へ中心軸（３０）に沿って長手方向に延びるチャネルを有する円筒であり、前端（３１）に隣接して周方向に延びる１つまたは複数のアーム（３７）をさらに含む。
【０００５】
以下で、添付図面を参照しながら、本発明について例として説明する。
【図面の簡単な説明】
【０００６】
【図１】現在の磁石キャリアアセンブリおよび軸の分解斜視図である。
【図２】組み立てられた図１の磁石キャリアアセンブリの横断面図である。
【図３Ａ】例示的な実施形態による磁石キャリアアセンブリの正面斜視図である。
【図３Ｂ】例示的な実施形態による磁石キャリアアセンブリの後面斜視図である。
【図４】図３Ａおよび図３Ｂに示す磁石キャリアアセンブリの分解斜視図である。
【図５Ａ】図４に示す磁石キャリアアセンブリのハウジングの例示的な実施形態の正面斜視図である。
【図５Ｂ】図５Ａに示すハウジングの後面斜視図である。
【図６】磁石キャリアアセンブリのロッキングカラーの例示的な実施形態の正面斜視図である。
【図７】磁石キャリアアセンブリと共に使用する軸の例示的な実施形態の正面斜視図である。
【図８】例示的な実施形態による、図４に示す磁石キャリアアセンブリと図７に示す軸とを組み立てる方法を示す図である。
【図９】例示的な実施形態による、軸に取り付けられた磁石キャリアアセンブリの横断面図である。
【発明を実施するための形態】
【０００７】
図１は、現在の磁石キャリアアセンブリ１００および軸１０５の分解斜視図である。現在の設計は、留め具を使用して磁石１０３を弁軸１０５に取り付ける。これらの留め具の設計は、必要な機能をもたらすために追加の部品および追加の製造を必要とする。図１に示す例では、既存の磁石キャリアアセンブリ１００は、ボルト１０１、磁石１０２、ソケット１０３、ハウジング１０４、および特別に修正された弁軸１０５を含む。ボルト１０１は、規定の定格荷重を必要とする非鉄ボルトである。ソケット１０３は、ハウジング１０４をボルト１０１に取り付けるための六角ソケットである。弁軸１０５は、ねじ切開口部１０６を含む。開口部１０６は、ボルト１０１を受けて固定するように機械加工されなければならない。この機械加工により、アセンブリ１００に、さらなる複雑さ、製造性の問題、および関連する費用が加わる。
【０００８】
図２は、組み立てられた図１の現在の磁石キャリアアセンブリの横断面図である。この設計は、磁石を弁軸に機械的に取り付けるが、複雑な製造および組立てを必要とする。
図２に示すように、最初に磁石１０２がハウジング１０４内でオーバモールドされる。ソケット１０３がハウジング１０４内に挿入される。ソケット１０３は、ハウジング１０４の内面の溝または戻り止めなどの特定の機能に係合する。ソケット１０３は、ハウジング１０４内でボルト１０１と軸１０５との間に組み付けられて、ハウジング１０４に係合し、ボルト１０１をハウジング１０４に連結する。ボルト１０１は、軸１０５の開口部１０６にねじ込まれる。ボルト１０１は、ボルト１０１のヘッドがソケット１０３の前面に当接するまで、軸１０５に挿入される。ボルト１０１のヘッドがソケット１０３の前面に当接すると、ソケット１０３の後面が軸１０５の端面に当接する。ボルト１０１が完全に挿入されると、ソケット１０３は、磁石１０２およびハウジング１０４により、ボルト１０１および軸１０５に係合する。軸１０５が回転すると、磁石１０２は軸１０５の外周に沿って動く。これにより、磁石１０２を使用して、弁軸１０５の位置、およびしたがって、弁の位置を検出することができる。しかしながら、軸１０５の大きさが小さくなると、開口部１０６を機械加工する複雑さが増し、必要な特徴を有するボルト１０１を設ける能力が低下する。
【０００９】
図３Ａは、例示的な実施形態による磁石キャリアアセンブリ１の正面斜視図である。図３Ｂは、磁石キャリアアセンブリ１の後面斜視図である。図４は、磁石キャリアアセンブリ１の分解斜視図である。キャリアアセンブリ１は、磁石キャリアアセンブリ１００（図１に示す）などと比べて、必要な空間が小さく、機械加工が複雑でなく、組立てが容易である。加えて、キャリアアセンブリ１は、一体のアセンブリ、確実なロッキング機能、特別な組立工具または分解工具を必要としない設計をもたらし、かつ空間の制限を有する適用の場合に、より小さい外囲（smaller envelope）をもたらす。
【００１０】
図３Ａ、図３Ｂ、および図４に示すように、キャリアアセンブリ１は、磁石２、ハウジング４、およびロッキングカラー３を含む。以下でより詳細に論じるように、ハウジング４は磁石２を収容する。ハウジング４は複数の可撓性フィンガ５も含む。ロッキングカラー３は、第１の位置でハウジング４上に保持される。ロッキングカラー３を開位置へ動かすことにより、フィンガ５が撓んで開くことができ、磁石キャリアアセンブリ１の複数のフィンガ５により画定された開口部に軸７を挿入することができる。ロッキングカラー３はフィンガ５上に閉位置へ動いて、フィンガ５が軸７を収容して保持するようにする。ロッキングカラー３は、ロック位置へさらに動いて、フィンガ５を軸７の周りにロックすることにより、磁石キャリアアセンブリ１を軸７にロックする。
【００１１】
図５Ａおよび図５Ｂは、磁石キャリアアセンブリ１のハウジング４の正面斜視図および後面斜視図をそれぞれ示す。ハウジング４は、前部４０、後部５０、磁石ホルダ部４１、軸ホルダ部４２、および軸ホルダ部４２から延びる複数のフィンガ５を含む。ハウジング４は、プラスチックまたは樹脂などの誘電材料であってよく、射出成形などの成形によって作製されてよい。例示的な実施形態では、磁石ホルダ部４１および軸ホルダ部４２は全体として円筒形である。しかしながら、様々な異なる磁石を収容するために、他の形状が磁石ホルダ部４１および／または軸ホルダ部４２に適していることがある。
例示的な実施形態では、磁石ホルダ部４１および軸ホルダ部４２は、中心軸２０に沿って長手方向に延びるチャネルを有する円筒形である。磁石ホルダ部４１は前部４０に隣接し、前縁４４、後縁４５、内面４６、および外面４７を含む。磁石ホルダ部４１は、前縁４４の開口部４８および後縁４５の開口部（図示せず）を含む。キャビティ４９は、前縁４４と後縁４５との間で内面４６によって画定される。磁石２はキャビティ４９内に収容される。例示的な実施形態では、磁石２がハウジング４内でオーバモールドされるが、代替実施形態では、他のプロセスにより磁石２をハウジング４に挿入してもよい。
【００１２】
図５Ａおよび図５Ｂに示すように、軸ホルダ部４２は磁石ホルダ部４１の後縁４５から延びる。例示的な実施形態では、軸ホルダ部４２の直径は磁石ホルダ部４１の直径から段落ちしている。軸ホルダ部４２は、前端２１、後端２２、内面２３、および外面２４を含む。軸ホルダ部は、軸ホルダ部を通って半径方向に延びる１つまたは複数の窓２５を含む。磁石キャリアアセンブリ１と軸７とが組み立てられると、窓２５は、軸７の適切な位置の視覚インジケータをもたらす。軸ホルダ部４２は、前端２１から後端２２へ延びる外面２４に、１つまたは複数の凹部領域２６を含む。各凹部領域２６は、１つまたは複数の位置合わせ突起２７を含む。各凹部領域２６は、ロッキングカラー３の突出ラッチ５１（図６に示す）を受けて、ロッキングカラー３をハウジング４上に保持し、軸２０に沿ったロッキングカラー３の長手方向への動きを可能にして、ロッキングカラー３が１つの位置から別の位置（例えば、閉鎖位置から間隙位置）へ動くことができるようにする。
溝２８は、後端２２に隣接する外面２４に沿って凹部領域２６から遠位端へ周方向に延びる。溝２８は、ロッキングカラー３の回転運動を可能にして、ロッキングカラー３が１つの位置から別の位置（例えば、ロック解除位置からロック位置）へ動くことができるようにする。溝２８は、凹部領域２６と反対の遠位端にラッチ開口部２９を含む。ラッチ開口部２９は、ロッキングカラー３のラッチ５１（図６参照）を受けて保持する。
【００１３】
図５Ａおよび図５Ｂに示すように、複数の可撓性フィンガ５が、軸ホルダ部４２の後端２２から長手方向に延びる。例示的な実施形態では、フィンガ５は、内面２３と外面２４との間で後端２２から概ね均一な離間間隔で延び、中心軸２０に沿った開口部７０の周りにリングを形成する。例示的な実施形態では、５つのフィンガ５が示されるが、様々な実施形態ではフィンガ５の総計を他の数とすることが可能である。各フィンガ５は、軸ホルダ部分４２に隣接する固定端７１と遠位自由端７２とを含む。ラッチ７３は、フィンガ５の自由端７２から開口部７０に向かって内方へ延びる。ラッチ７３は傾斜面７４と停止面７５とを含む。ラッチ７３は軸７の保持機構７７（例えば、図７および図９参照）に嵌合する。
【００１４】
図６は、磁石キャリアアセンブリ１のロッキングカラー３の正面斜視図である。ロッキングカラー３は、前端３１、後端３２、内面３３、および外面３４を有する円筒形である。ロッキングカラー３は、前端３１から後端３２へ中心軸３０に沿って長手方向に延びるチャネルを含む。ロッキングカラー３は、プラスチックまたは樹脂などの誘電材料であってよく、射出成形などの成形によって作製されてよい。ロッキングカラー３は、ロッキングカラー３を通って半径方向に延びる１つまたは複数の窓３５を含む。組み立てられると、窓３５は軸ホルダ部４２の窓２５と位置合わせされ、軸７の適切な位置の視覚インジケータをもたらす。ロッキングカラー３は、外面３４から長手方向に延びる１つまたは複数の突起３６を含む。例示的な実施形態では、カラー３が６つの突起３６を含むが、他の実施形態はより少ないまたは多い突起３６を有してよい。突起３６は、ロッキングカラー３を手で回転させるための把持機能をもたらす。
【００１５】
図６に示すように、ロッキングカラー３は、前端３１に隣接して周方向に延びる１つまたは複数の可撓性アーム３７を含む。アーム３７は各々、固定端３８と自由端３９とを有する。ラッチ５１は、自由端３９からチャネルに向かって内方へ延びる。ラッチ５１は傾斜面５２と停止面５３とを含む。ロッキングカラー３のロック位置では、ラッチ５１がラッチ開口部２９（図５Ａに示す）内に収容されて、軸７をキャリアアセンブリ１内にロックする。図３Ｂによりよく示すように、ロッキングカラー３は、内面３３から内方へ延びる複数の突起５５を含む。例示的な実施形態では、突起５５は、後端３２から概ね均一な離間間隔で長手方向に延びる丸いノブである。ロッキングカラー３の突起５５は、内面３３上でチャネルの外周に沿って離間して、ハウジング４のフィンガ５の間隔と位置合わせされる。以下でより詳細に説明するように、ロッキングカラー３のロック位置で、突起５５はフィンガ５と位置合わせされて、フィンガ５の動きを防止し、軸７を磁石キャリアアセンブリ１内でロックする。
【００１６】
図７は、磁石キャリアアセンブリ１（図４に示す）と共に使用する軸７の正面斜視図である。代替実施形態として軸８が図９に示される。軸７は保持部７９と接続部７８とを含む。接続部７８は弁（図示せず）から延びる。保持部７９は磁石キャリアアセンブリ１内に保持されて、磁石キャリアアセンブリ１を軸７に機械的に係合させる。軸７はリップなどの保持機構７７を含む。図７に示すように、リップ７７は、保持部７９と接続部７８との間の段落ち面によって画定される。図７に示す実施形態では、保持部７９は、接続部７８の円筒よりも大きい直径を有する円筒である。組み立てられると、１つまたは複数のフィンガ５のラッチ７３（図５Ｂに示す）が軸７の保持機構７７と位置合わせされる。停止面７５（図５Ｂに示す）がリップ７７に当接して、軸７を磁石キャリアアセンブリ１内に収容する。図９の実施形態に示すように、リップ７７は、保持部７９と接続部７８との間に形成された周方向チャネルによって画定される。
【００１７】
図８は、磁石キャリアアセンブリ１と軸７とを組み立てる方法を示す。磁石キャリア１および軸７の正面図および側面図が、組立て方法の各ステップについて示される。
【００１８】
ステップ２００は、静止位置にある磁石キャリアアセンブリ１を示す。静止位置では、ロッキングカラー３がハウジング４に係合している。ロッキングカラー３は、後端２２からフィンガ５および軸ホルダ部４２上に取り付けられて、ロッキングカラー３の中心軸３０がハウジング４の中心軸２０に位置合わせされるようにする。ロッキングカラー３のラッチ５１は、ハウジング４の凹部領域２６と位置合わせされて、ロッキングカラー３をハウジング４の軸ホルダ部４２上で保持できるようにする。
【００１９】
ステップ２０１は、軸７を受けるために備えたロッキングカラー３の動きを示す。ロッキングカラー３は、軸ホルダ部４２の後端２２から前端２１へ方向Ａに開位置まで長手方向に動き、または後退する。ステップ２０１に示すように、これにより、ロッキングカラー３がフィンガ５の外方への偏向のための間隙または余裕を与える間隙位置にあるため、フィンガ５は外方へ撓むことができる。
【００２０】
ステップ２０２は、フィンガ５間の開口部７０への軸７の位置決めおよび挿入を示す。フィンガ５が外方へ偏向すると、軸７の大径の保持部７９が開口部に入ることができる。
【００２１】
ステップ２０３は、磁石キャリアアセンブリ１に完全に挿入された軸７を示す。フィンガ５の停止面７５が軸７の保持機構７７の後方に位置決めされる。
【００２２】
ステップ２０４では、ロッキングカラー３が、前端２１から後端２２へ方向Ｂに閉位置まで長手方向に戻る。閉位置では、ロッキングカラー３がフィンガの外方への撓みを防止して、磁石キャリアアセンブリ１を軸７に対して保持する。ステップ２０２、２０３、２０４に示すように、ロッキングカラー３の突起５５が、ハウジング４のフィンガ５からずれる。この位置で、突起５５は、フィンガ５間の空間内に延びる。
【００２３】
ステップ２０５に示すように、ロッキングカラー３をロック位置に回転させて、ロッキングカラー３がハウジング４にロックされるようにする。ロック位置では、突起５５がフィンガ５と位置合わせされて、フィンガ５の外方への動きを防止し、これにより、軸７を磁石キャリアアセンブリ１内にロックする。フィンガ５の停止面７５が軸７の保持機構７７の後方に位置決めされることにより、フィンガ５が軸７にロックされ、軸７が磁石キャリアアセンブリ１内にロックされる。ロック位置では、ハウジング４のラッチ開口部２９内にロックされたロッキングカラー３のラッチ５１により、ロッキングカラー３がハウジング４にロックされる。ラッチ５１がラッチ開口部２９に係合すると、触覚クリックまたは可聴クリックを与えて、適切なロッキングを確保することができる。ロック位置では、軸保持機構７７にロックされたフィンガ５のラッチ７３によって、フィンガ５が軸７にロックされる。ロック位置では、ハウジング４の窓２５がロッキングカラー３の窓３５と位置合わせされて、軸７が完全に装填されたことの目視確認を与える。
【００２４】
図９は、例示的な実施形態により形成された、軸８に取り付けられた磁石キャリアアセンブリ１の横断面図である。ハウジング４およびロッキングカラー３が軸８に取り付けられる。磁石２がハウジング４内に収容される。軸８は保持部７９と接続部７８とを含む。チャネル８０は保持部７９と接続部７８との間に位置する。チャネル８０は、保持部７９の後端に保持機構７７を画定する。ハウジング４のフィンガ５は、保持機構７７で軸８にロックされる。前述したように、フィンガ５は、ロッキングカラー３によりその位置にロックされる。
【００２５】
磁石キャリアアセンブリ１は、現在の設計を超える多くの利点をもたらす。磁石キャリアアセンブリ１の設計は、取付中に小さい挿入力を必要とするだけであり、装填およびロッキング後に大きい保持力をもたらす。ロッキングばね機能、および視覚的、触覚的に示されることにより、軸への磁石キャリアアセンブリ１の適切な配置が確認される。
【００２６】
上記の説明は例示的なものであり、限定的なものではないことを理解されたい。例えば、前記実施形態（および／またはその態様）を互いに組み合わせて使用してもよい。加えて、本発明の範囲から逸脱することなく、特定の状況または材料を本発明の教示に適応させるように多くの修正を行ってもよい。本明細書に記載された寸法、材料の種類、様々な部品の向き、および様々な部品の数および位置は、ある実施形態のパラメータを定義するものであり、決して限定するものではなく、例示的な実施形態に過ぎない。特許請求の範囲の精神および範囲内の多くの他の実施形態および修正が、上記説明を検討することにより当業者に明らかになろう。したがって、本発明の範囲は、添付の特許請求の範囲を、かかる特許請求の範囲が権利を与えられる均等物の全範囲と共に参照して決定されるべきである。
【図１】
0006449270.tif 000002
【図２】
0006449270.tif 000003
【図３Ａ】
0006449270.tif 000004
【図３Ｂ】
0006449270.tif 000005
【図４】
0006449270.tif 000006
【図５Ａ】
0006449270.tif 000007
【図５Ｂ】
0006449270.tif 000008
【図６】
0006449270.tif 000009
【図７】
0006449270.tif 000010
【図８】
0006449270.tif 000011
【図９】
0006449270.tif 000012